(57)【要約】  本発明は、接着剤の組成物に、低コストの居住の直立の間の壁の建設における仕切り、ブロック、レンガ、パネルなどの粘着のためのそれの使用に、及び、前記の組成物を製造する方法に、関係するが、それは、再利用された固体のポリスチレン、未使用のポリスチレン、及び、鉛の無い炭化水素又は置換の溶剤に基づいた有機材料の共同の組み合わせを含有するのみである。【特許請求の範囲】
【請求項１】
レンガ、ブロック、又はパネルを粘着させるための、ポリスチレンに基づいた接着剤の組成物の製作のための手順であって、
それは、以下に続くステップ：
Ａ）攪拌手段が提供された反応器において、鉛の無い可燃性の炭化水素が、４０％から９０％までの割合で加えられる；
Ｂ）未使用のポリスチレンが、それが溶解するまで、０．１％から３０％までの百分率で加えられる；
Ｃ）そして、再利用された未使用のポリスチレンが、０．１％から６０％までの百分率で加えられると共に、該再利用されたポリスチレンは、全てのポリスチレンが溶解させられるまで、３０分間一定に攪拌される；
Ｄ）そして、顔料着色、元来の再利用されたポリスチレンの色における変動に主として依存する割合で色素を加える；
ことを含むことを特徴とする、方法。
【請求項２】
前記無鉛の可燃性の炭化水素は、プレミアム若しくはマグナガソリンから、又は、一級の若しくは通常のシンナーのようないずれの置換の溶剤からも選択されることを特徴とする、上記請求項に記載の方法。
【請求項３】
前記組成物は、０．４０ｇ／ｃｍ３から７５ｇ／ｃｍ３までの粘度を有することを特徴とする、請求項１に記載の方法。
【請求項４】
前記再利用されたポリスチレンは、異なる産業から、及び、屋外のごみの捨て場から直接的に、収集された且つ再利用された廃棄物のポリスチレンから選択されることを特徴とする、請求項１に記載の方法。
【請求項５】
レンガ、ブロック、又はパネルを粘着させるための、組成物であって、
それは、顔料着色、元来の該再利用されたポリスチレンの色、の変動に主として依存する割合で、所望の色に従って選択された色素に加えて、０．１％から３０％までの百分率における未使用のポリスチレン、０．１％から６０％までの百分率における再利用されたポリスチレン、９０％から４０％までの百分率における、プレミアム若しくはマグナガソリンから選択された無鉛の可燃性の液体の炭化水素によって、又は、一級の若しくは通常のシンナーようないずれの種類の置換の溶剤によっても、形成されると共に、それらの全ては、１００％まで調節されたものでなければならないことを特徴とする、組成物。
【請求項６】
それは、０．４０ｇ／ｃｍ３から７５ｇ／ｃｍ３までの粘度を有することを特徴とする、請求項５に記載の接着剤の組成物。
【請求項７】
前記再利用されたポリスチレンは、異なる産業から、及び、屋外のごみの捨て場から直接的に、回収された且つ再利用された廃棄物のポリスチレンから選択されることを特徴とする、請求項５に記載の接着剤の組成物。
【請求項８】
壁の建設においてレンガ、ブロック、又はパネルを粘着させるための、請求項５に記載の接着剤の組成物の使用。
【発明の詳細な説明】
【背景技術】
【０００１】
この発明は、低コストのハウジングを建築する際に壁の建設においてレンガ及びブロック、パネルなどを粘着させるために使用されることができる接着剤の組成物並びにこの組成物を製造するための手順を参照する；今までは、レンガ、ブロック、パネルなどを粘着させるために使用された接着剤の組成物を製作することが後に続けられた手順が、化学的な生産物のみならず数個の有機の及び無機の材質の使用を含んできたが、それらは、損傷させると共に付随的な効果を引き起こす、又は、さもなければ、環境を汚染すると共に、従って、長い及び短い周期内に有害なものであることもある、現時点では、我々は、いずれの組成物をも、及び、低コストのハウジングを建築する際の壁の建設においてレンガ、ブロック、パネルなどを粘着させるための接着剤の組成物を製造する又は製作するための手順を、並びに、この組成物を製造するための手順を、知るものではないが、それは、排他的に、環境及び人体に対する有害な二次の効果を除去する再利用された固体のポリスチレンに基づいた有機の材料の共力剤の組み合わせを含む。
【発明の開示】
【課題を解決するための手段】
【０００２】
この発明は、接着剤の組成物を、及び、低コストのハウジングを建築する際の壁の建設においてレンガ、ブロック、パネルなどを粘着させるためには、この組成物の使用を、並びに、この組成物を製造するための手順を、参照する、この発明の組成物は、排他的に、再利用された固体の未使用のポリスチレン及び鉛の無い炭化水素の有機の材料の共力剤の組み合わせを含む、この組み合わせは、驚くべきことに、接着剤及び失われたコストの効果を提供する、使用されたポリスチレンは、一度屋外のごみの捨て場に置かれると、今まで、燃焼におけるときにそれが解放するガスのおかげで高い毒性を備えた廃棄物の材料の一つであることは別として、それを適切に再利用する様式が無いままであったという理由のために、最悪の既存の汚染物質の一つである。この材料は、固体のものであると共に、それが、極度に軽いものであるという理由のために、それは、容易に分散する傾向がある、この発明の組成物は、所望の色に従って選択されたいずれの色素にも加えて、０．１％から３０％までの百分率における未使用のポリスチレン、０．１％から６０％までの再利用されたポリスチレン、９０％から４０％までの百分率における、プレミアムガソリン、マグナガソリンから選択された液体の可燃性の無鉛の液体によって、又は、一級の若しくは通常のシンナーのようないずれの置換の溶剤によっても、形成されると共に、接着剤の組成物の製造又は製作のために手順を参照するが、それは、以下に続くステップ：Ａ）攪拌の手段が提供された反応器において、その無鉛の可燃性の炭化水素は、４０％から９０％までの割合で加えられる；Ｂ）その未使用のポリスチレンは、それが溶解するまで、０．１％から３０％までの百分率で加えられる；Ｃ）そして、その再利用された未使用のポリスチレンは、０．１％から６０％までの百分率で加えられる、その再利用されたポリスチレンは、全てのポリスチレンが溶解させられるまで、３０分の間一定に攪拌される；Ｄ）そして、顔料着色、元来の再利用されたポリスチレンの色における変動に主として依存する割合で色素を加える；を含む。
【発明を実施するための最良の形態】
【０００３】
その組成物の接着性は、その未使用のポリスチレンを使用することによって、仰天するほど増加するが、それは、この効果の理由のために、再利用されたポリスチレンを伴って排他的に起こるものではない、その組成物は、低コストのハウジングを建築する際の壁の建設においてレンガ、ブロック、パネルなどを粘着させるためには、接着剤として使用される。
【０００４】
この組成物の構成成分の各々は、その組成物が、＿の粘度を有するという理由のために、非常に重要な役割を有する、その理由は、それが、異なる産業から、及び、屋外のごみの捨て場から直接的に、回収された且つ再利用された、全ての種類の廃棄物のポリスチレンと共に製作された粘性の且つ厚い物質であるというものであるが、それは、その未使用のポリスチレン及びその可燃性の炭化水素と一緒に、接着剤の特性を獲得すると共に、代替の低コストの、不燃性の接着剤の材料として、操作することが容易な且つ迅速に据え付けられたものであり、この質をこの組成物で接合された壁に寄与させる、驚くべきことにモルタル、セメント、砂、及び水に取って代わる、いずれの建設の材料をも完全に接合する、５０％までコストを低減することに加えて、時間の間ずっと壁に対してより大きい硬度及び抵抗性を提供する、その有用な寿命を延長する、それは、迅速に置かれる且つ適用されると共に、数時間で乾燥する。
【実施例１】
【０００５】
例１
以下に続く組成物は、上に記載された手順と共に調製されるが、その組成物は、プレミアム若しくはマグナガソリンから選択された一リットルの無鉛の燃料、又は、一級の若しくは通常のシンナーのような、いずれの置換の溶剤、三キログラムの再利用されたポリスチレン、２５グラムの未使用のポリスチレン、色素を含むが、それは、その混合物において要求された色に従って変動することになる、そのポリスチレンは、ゆっくりと混合されることになるが、主として顔料着色、すなわち、その再利用されたポリスチレンが見出される色の変動のおかげで、灰色がかかった又は無色に近い着色された塊体を形成する。
【０００６】
一度その混合物が、完了されてしまうと、接合されるものである材料に適用されることは、容易なことである、一度壁が生産されてしまうと、それが、天然の又は人工的な攻撃にもかかわらず、それの要素を一体として保存するという事実に加えて、その組成物におけるこの割合は、いずれの種類の材料又は石造物の一平方メートルの壁を完全に接合する。
【実施例２】
【０００７】
例２
先の例におけるのと同じ手順、しかし、所望の色に従って選択されたいずれの色素にも加えて、０．１％から３０％までの百分率における未使用のポリスチレン、０．％から６０％までの再利用されたポリスチレン、９０％から４０％までの百分率における、プレミアム若しくはマグナガソリンから選択された無鉛の液体の炭化水素、又は、一級の若しくは通常のシンナーのようないずれの置換の溶剤で形成された組成物を使用するが、上の全ては、１００％に調節するまでである。
【０００８】
この発明は、上に記載された特定の例に限定されるとして考慮されるものであってはならないが、しかし、添付された特許請求の範囲に述べられたもののような明りょうに本発明の全ての態様をカバーすることが、理解されるものでなければならない。当明細書を見直すとき、この発明が適用可能なものであることもあると共にこの発明が焦点を合わせる当技術の専門家によって直ちに容易な且つ明りょうなものであるものとする非常に多くの組成物及び手順のみならず、数個の変更、等価な工程を含む。
【０００９】
この発明が、それの特定の様相を参照して、ここに記載されてきが、ある許容範囲の変更、様々な変更及び置換は、上の記載において提案されると共に、人は、ある一定の事例において、本発明のいくつかの特性が、以下に続く特許請求の範囲において確立されたような本発明の範囲から離れることなく、他の特性の対応する使用無しに使用されることになることを認識したことになる。
【００１０】
私は、本日まで、上述した発明を実現するために、出願人によって知られた最良の方法が、本発明のこの記載から明りょうに結果として生じるものであるということを公言する。
【００１１】
上の発明を記載してきたが、以下に続く特許請求の範囲の内容が、所有権として請求される。
【国際調査報告】
2008511718.tif 000002
2008511718.tif 000003
2008511718.tif 000004
2008511718.tif 000005
2008511718.tif 000006
2008511718.tif 000007